(57)【要約】      （修正有）【課題】ＰＴＰ包装における押し潰し難い浅い円筒形のポケットの形態を取り出し易いポケットに改めたＰＴＰ包装を提供する。【解決手段】ポケットの形態を頂点部に丸みＲを有した正三角形状の三角ポケット１に形成して、該三角ポケット１の各辺２と錠剤ｔの円周の三等分点とを接点ｐ，ｐ，ｐにすると共に、当該三角ポケット１の頂点部に空間３，３，３を設ける。また、当該三角ポケット１群を、ＰＴＰ包装における上下の区分面において正逆状に交互に反転させて配列するように構成したものである。【選択図】図１
2011084317.tif 000002
【特許請求の範囲】
【請求項１】
ＰＴＰ包装におけるアルミシ−トｓ上に形成される透明な樹脂シ−トのポケットの形態
において、前記ポケットの形態を頂点に丸みＲ，Ｒ，Ｒを有した正三角形状の三角ポケッ
ト１に形成させて、該三角ポケット１内における三辺２，２，２側と錠剤ｔの円周ｃにお
ける三等分点とが交わる部分を接点ｐ，ｐ，ｐにすると共に、前記各頂点部に無負荷状の
空間３，３，３を設けたことを特徴とするＰＴＰ包装。
【請求項２】
前記三角ポケット１群の形態を、ＰＴＰ包装における上下に区分されたシ−ト面上にお
いて、交互に反転させた状態に配列したことを特徴とする請求項１記載のＰＴＰ包装。
【発明の詳細な説明】
【技術分野】
【０００１】
本発明は、様々な錠剤等を密封・配列したＰＴＰ包装の改良に関するものである。
【背景技術】
【０００２】
従来、様々な形態に形成された錠剤類は、透明な樹脂フイルムを浅い円筒形や台形等に
成型させたポケット（ボシム）下に、アルミ箔のシ−ト（リット）を密封・配列したＰＴ
Ｐ包装 (Push through Package) がある。
【０００３】
また、ポリ塩化ビニル層とポリ塩化ビニリデン層とコ−ティング層との３層からなるＰ
ＴＰ包装用多層シ−トのコ−テイィング層が、ウレタン樹脂を配合したエチルセルロ−ズ
樹脂を用い成型後ポケットが金型から抜ける時に金型エッジ部とポケット部分の擦れによ
る磨耗粉の発生がないことを特徴とするＰＴＰ包装用多層シ−トがある。
【０００４】
そして、前記ＰＴＰ包装におけるポケットの形態は、浅い円筒形や台形等に形成されて
いて、そのポケット内の錠剤を取り出す際には、前記ポケットを利き手の親指で押し潰す
ような仕種で取り出していたものである。
【先行技術文献】
【特許文献】
【０００５】
【特許文献１】特願２００５−２９２０５号
【発明の概要】
【発明が解決しようとする課題】
【０００６】
以上のように、従来のＰＴＰ包装におけるポケットの構成形態は、浅い円筒形や台形に
構成されていたからポケットの周囲が固すぎるので、手指等に障害のある人や高齢者には
容易に押し潰せないと云う欠点と、包装シ−ト下のアルミシ−トも同時に落下することが
あると云う問題等あったものである。
【０００７】
本発明は、そうした従来のＰＴＰ包装における押し潰し難い浅い円筒形のポケットの形
態を取り出し易いポケットに改めたＰＴＰ包装を提供することを目的としたものである。
【課題を解決するための手段】
【０００８】
そして、上記目的を達成するための第１の手段は、ＰＴＰ包装における透明な樹脂によ
り成形されるポケットの構成形態を正三角形状の三角ポケットに改良したものである。
【０００９】
即ち、前記正三角状のポケットの構成形態を、両底角と頂角、即ち、各対角部分に丸み
（Ｒ，Ｒ，Ｒ）を形成させた三角ポケット（１）にすると共に、該三角ポケット（１）に
挿入される円形の錠剤（ｔ）は、その円周（ｃ）の三等分点を当該三角ポケット（１）の
各辺（２，２，２）を接点（ｐ，ｐ，ｐ）とし、且つ、前記三角ポケット（１）内の各対
角部に空間（３，３，３）を形成する如くにして、錠剤（ｔ）の取り出し時における指先
に掛かる負荷を、前記三箇所に設けた接点（ｐ，ｐ，ｐ）と空間（３，３，３）とで軽減
するように構成したものである。
【００１０】
また、第２の課題の解決手段は、ＰＴＰ包装における上下の区分帯において、当該三角
ポケット（１）の底辺と頂点との向きを交互に反転させた形態に配列したことを特徴とす
るＰＴＰ包装である。
【００１１】
上記、課題の解決手段による作用は次の通りである。即ち、当該三角ポケット（１）の
三方の対角部に有した無負荷状の空間（３，３，３）と、潰れ易い接点（ｐ，ｐ，ｐ）と
が功を奏して、指先がひ弱な人にも容易に押し潰せれるようにしたものであいる。
【００１２】
そして、前記のように錠剤（ｔ）の取り出す過程が容易になると同時に、当該ＰＴＰ包
装における三角ポケット（１）下のアルミシ−ト（ｓ）は前記空間（３，３，３）帯の何
れかの下方に垂れ下がるので一緒に飲み込むような不覚は防止されるようになる。
【発明の効果】
【００１３】
上述したように本発明のＰＴＰ包装は、そのポケットの形態を潰し易い三角ポケットに
改めると共に、ポケット下のアルミシ−トの落下も防止されるようになるし、更に、当該
三角ポケット群をＰＴＰ包装の区切り面において、交互に反転させた形態の幾何模様状の
モダンな配列にしたから、このモダンな配列は、沈み勝ちな服用者の心をも癒す様な特徴
を有すると共に、錠剤の取り出しが極めて容易になると云う実感を提供できるようにした
ものである。
【００１４】
従って、手や指先等に障害のある人や惚け気味の高齢者においても、錠剤を取り出す過
程が容易になるばかりではなく、日々、薬便りにしている人々は勿論、家庭において看病
する人や、病院や医療機関、擁護施設等々において看護に当たる人達に、待ち望まれてい
た便利さと安全さとを具現化したことによって、果てはグロ−バルなニ−ズにも対応でき
ると云う大なる効果を奏する。
【図面の簡単な説明】
【００１５】
【図１】本発明のＰＴＰ包装における第１の実施例を示す部分平面図である。
【図２】そのＡ−ｏ−Ａ断面図である。
【図３】Ａ−ｏ−Ｂ断面図である。
【図４】第２実施例におけるＰＴＰ包装の配列状態を示す平面図である。
【発明を実施するための形態】
【００１６】
以下、本発明の実施例１を図１〜４に基づいて説明する。
【００１７】
図においては、１はＰＴＰ包装におけるアルミシ−ト上の透明な樹脂シ−トｓ面に成形
された三角ポケットであり、２，２，２は当該三角ポケットにおける辺であり、３，３，
３は各対角部内に設けた無負荷状の空間であり、ｐ，ｐ，ｐは前記三角ポケット１におけ
る辺２，２，２と錠剤ｔにおける円周ｃとの接点であって、ｓはＰＴＰ包装におけるポケ
ット下のアルミシ−トであり、ｔは円形の錠剤である。
【００１８】
そして、前記の当該三角ポケット１群は、ＰＴＰ包装における上下の区分面において、
図４に示すように、底辺と頂点とを交互に反転させた形態に配列したものである。
【００１９】
以下、上記構成の作用について説明すると、利き指が不自由気味な人においても、当該
三角ホケット１の三方に有した各辺２，２，２の対角部に有した無抵抗状の空間３，３，
３を備えた構成によって、多少指先の力（Ｐ）が弱くても容易に押し潰せるように構成さ
れたものである。
【００２０】
また、前記三角ポケット１を押し潰して錠剤ｔを取り出す過程に破れるアルミシ−トｓ
は、前記空間３，３，３における何れかの下側部に垂れ下がるようになるから、アルミシ
−トｓと同時に飲み込むような不覚は防止されるようにもなった。
【００２１】
また、当該ＰＴＰ包装による三角ポケットは潰し易いような構成であっても、箱詰めの
際には幾重に重ねても不意に潰れるような事態にはならないし、投薬袋に重ねて入れても
容易に潰れるようなことにはならないものである。
【符号の説明】
【００２２】
１＝三角ポケットである。
２＝三角ポケットの３辺である。
３＝空間である。
ｃ＝円形錠剤の円周である。
ｏ＝錠剤の中心である。
ｐ＝三角ポケットの各辺と錠剤の円周部との接点である。
ｓ＝アルミシ−トである。
ｔ＝錠剤である。
【図１】
2011084317.tif 000003
【図２】
2011084317.tif 000004
【図３】
2011084317.tif 000005
【図４】
2011084317.tif 000006